(57)【要約】【課題】１回線分の着信で複数回線分の接続端子に呼び出し信号が送信されるＶｏＩＰアダプタを接続した場合であっても、１回線分の呼出信号だけを送信することができるＩＰ電話用ＩＳＤＮアダプタを提供する。【解決手段】ＩＰ電話用ＩＳＤＮアダプタ１は、アナログ回線１、またはアナログ回線２のいずれか一方から呼出信号を検出した場合、タイマを作動させ、他方のアナログ回線から呼出信号が検出されるまでの時間差を計測する。この時間差が所定の閾値未満であれば、ＩＰ電話アダプタ４が１回線の着信で２回線分の呼出信号を送信したとみなし、他方のアナログ回線（後に呼出信号が送信された回線）に着信拒否信号を送信する。【選択図】図１
2008072394.tif 000002
【特許請求の範囲】
【請求項１】
内線交換機にＩＳＤＮ回線で接続されるとともに、ＩＰ電話アダプタに複数回線で接続されるＩＰ電話用ＩＳＤＮアダプタであって、
前記ＩＰ電話アダプタに接続される各回線の着信を検出する複数の検出手段と、
前記複数の検出部のいずれかが着信を検出した時に計測を開始し、当該検出部が着信を検出した後、他のいずれかの検出部が着信を検出するまでの時間を計測するタイマと、
前記タイマが計測した時間が所定の閾値未満であった場合に、後に着信を検出した回線の着信を拒否する着信拒否手段と、
を備えたＩＰ電話用ＩＳＤＮアダプタ。
【請求項２】
前記所定の閾値を変更する変更手段を備えた請求項１に記載のＩＰ電話用ＩＳＤＮアダプタ。
【請求項３】
前記着信拒否手段は、前期ＩＰ電話アダプタから送信されるモデム信号による着信先通知に対してオフフックを継続することで着信を拒否する請求項１、または請求項２に記載のＩＰ電話用ＩＳＤＮアダプタ。
【発明の詳細な説明】
【技術分野】
【０００１】
この発明は、ＩＳＤＮとＩＰ電話の切り替えを行って通話を行えるようにしたＩＰ電話用ＩＳＤＮアダプタに関するものである。
【背景技術】
【０００２】
従来、音声信号をディジタル信号に変換し、ＩＰパケットとして送受信する、いわゆるＩＰ電話のシステムが開発され、普及している。
【０００３】
ＩＰ網またはＩＰ網を含むインターネットで利用するプロトコルを使って音声を伝送するためにＶｏＩＰ（Voice over IP）技術が用いられている（例えば特許文献１参照）。
【０００４】
特許文献１のシステムは、ＶｏＩＰ用ＩＳＤＮアダプタをＶｏＩＰアダプタに接続することにより、ＩＳＤＮ網で送受信した、互いのＩＰアドレスを含むアダプタ情報を基にＩＰ網に接続するＶｏＩＰシステムを容易に構築できるようにしたものである。
【特許文献１】特開２００４−７５５０公報
【発明の開示】
【発明が解決しようとする課題】
【０００５】
ところが、近年、複数回線分の接続端子を備え、１回線の着信で複数回線分の呼出信号を送信するＶｏＩＰアダプタが普及しており、これを特許文献１のＶｏＩＰ用ＩＳＤＮアダプタに接続すると、次のような問題が発生する。
【０００６】
（１）１回線の着信で複数回線分の接続端子に呼出信号を送信するため、複数回線の電話機において同時に呼出ベルが鳴る。また、電話機によっては、呼出信号が送信されている回線名（外線番号等）が表示されるが、複数回線分の呼出表示がされることとなる。この場合において、複数のユーザが略同時に電話機を取ったとしても、実際に着信しているのは１回線のため、発信側と通話できるのは１つの電話機だけとなり、他のユーザは電話機を取っても通話できない。通話できなかったユーザは、電話機を取っても発信側との通話ができないため、機器の故障であると判断してしまう。
【０００７】
（２）１回線の着信で複数回線分の接続端子に呼出信号を送信するため、呼出中に複数回線を占有してしまい、実際には空き回線が有るにも関わらず、呼出中に他の着信が有ったとしても拒否してしまう。
【０００８】
そこで、この発明は、１回線分の着信で複数回線分の接続端子に呼出信号が送信されるＶｏＩＰアダプタを接続した場合であっても、上記各種問題を解消することができるＩＰ電話用ＩＳＤＮアダプタを提供することを目的とする。
【課題を解決するための手段】
【０００９】
この発明のＩＰ電話用ＩＳＤＮアダプタは、内線交換機にＩＳＤＮ回線で接続されるとともに、ＩＰ電話アダプタに複数回線で接続されるＩＰ電話用ＩＳＤＮアダプタであって、前記ＩＰ電話アダプタに接続される各回線の着信を検出する複数の検出手段と、前記複数の検出部のいずれかが着信を検出した時に計測を開始し、当該検出部が着信を検出した後、他のいずれかの検出部が着信を検出するまでの時間を計測するタイマと、前記タイマが計測した時間が所定の閾値未満であった場合に、後に着信を検出した回線の着信を拒否する着信拒否手段と、を備えたことを特徴とする。
【００１０】
この構成では、各回線の着信をそれぞれ検出する。最初にいずれかの回線で着信を検出してから、次に他の回線で着信を検出するまでの時間を計測する。この時間差が所定の閾値（例えば０．２秒等）未満であった場合、後に着信が有った回線について、着信拒否を行う。これにより、１回線の着信で複数回線分の接続端子に呼出信号が送信されるＶｏＩＰアダプタを接続した場合であっても、最初の１回線分の着信以外は拒否されるため、内線交換機には１回線分の呼出信号のみ送信される。
【００１１】
また、この発明は、さらに、前記所定の閾値を変更する変更手段を備えたことを特徴とする。
【００１２】
この構成では、所定の閾値を変更する。接続するＩＰ電話アダプタの仕様に応じて、同時着信を拒否するべき時間差を調整することができる。閾値は、着信拒否手段（制御部）の動作プログラムを書き換えることで変更するようにしてもよいし、ユーザインタフェース（操作部）を設置して変更できるようにしてもよい。また、切り換えスイッチ等を設けて、数パターンの中から選択できるようにしてもよい。
【００１３】
また、この発明は、さらに、前期ＩＰ電話アダプタから送信されるモデム信号による着信先通知に対してオフフックを継続することで着信を拒否することを特徴とする。
【００１４】
この構成では、汎用のＩＰ電話アダプタが有する着信先通知機能（所謂モデムダイヤルインの方式）の着信拒否手順を利用することで着信拒否を行う。これにより、ＩＰ電話アダプタ側に特殊な設定、機能は必要なく、汎用のＩＰ電話アダプタに対して着信拒否を行うことができる。
【発明の効果】
【００１５】
この発明によれば、次のような効果を奏する。
（１）１回線の着信で、複数回線分の接続端子から呼出信号が送信されたとしても、呼出信号の時間差が閾値未満であれば後の呼出について着信拒否を行うため、１回線分の電話機においてのみ呼び出しベルが鳴る（または１回線分の呼出表示のみされる）。
【００１６】
（２）１回線の着信で、複数回線分の接続端子から呼出信号が送信されたとしても、呼出信号の時間差が閾値未満であれば後の呼出について着信拒否を行うため、空き回線が開放され、他の着信が有った場合にこれを拒否することがない。
【発明を実施するための最良の形態】
【００１７】
この発明のＩＰ電話用ＩＳＤＮアダプタを備えた電話システムについて図面を参照して説明する。
図１は、電話システムの構成を示すブロック図である。この電話システムは、ＩＰ電話用ＩＳＤＮアダプタ１、ＩＰ電話用ＩＳＤＮアダプタ１に接続される主装置（ＰＢＸ）２、ＰＢＸ２に接続される複数の電話機３Ａ〜電話機３Ｎ、ＩＰ電話用ＩＳＤＮアダプタ１に接続されるＩＰ電話アダプタ４、ＩＰ電話用ＩＳＤＮアダプタ１に接続される一般加入電話網５、およびＩＰ電話アダプタ４に接続されるＩＰ網６を備えている。
【００１８】
ＰＢＸ２はＩＳＤＮ回線での接続および内線の回線交換を行う装置である。このＰＢＸ２には複数の電話機３Ａ〜電話機３Ｎが接続されている。なお、電話機の数は使用状況に応じて適宜決定すればよい。
【００１９】
ＩＰ電話用ＩＳＤＮアダプタ１は、ＰＢＸ２に対してＩＳＤＮ回線（Ｕ点）で接続している。また、一般加入電話網５に対してＩＳＤＮ公衆回線（Ｕ点）で接続している。また、ＩＰ電話用ＩＳＤＮアダプタ１は、ＩＰ電話アダプタ４に対して２つのアナログ回線（アナログ回線１、アナログ回線２）で接続している。なお、ＩＰ電話用ＩＳＤＮアダプタ１とＩＰ電話アダプタ４の接続回線数は２つに限らず、さらに複数であってもよい。
【００２０】
ＩＰ電話アダプタ４は、ＩＰ網６に対して内蔵のモデムを介してＰＰＰｏＥまたはＰＰＰで接続している。
【００２１】
ＩＰ電話用ＩＳＤＮアダプタ１は、ＰＢＸ２からの呼出信号を一般加入電話網５、またはＩＰ電話アダプタ４を介してＩＰ網６に送信し、応答をＰＢＸ２に送信する。また、一般加入電話網５、またはＩＰ電話アダプタ４を介してＩＰ網６から受信した呼出信号をＰＢＸ２に送信し、応答を一般加入電話網５、またはＩＰ電話アダプタ４を介してＩＰ網６に送信する。ＩＰ電話用ＩＳＤＮアダプタ１は、ＰＢＸ２（すなわち各電話機３Ａ〜３Ｎ）を一般加入電話網５、およびＩＰ網６に選択的に接続することができるものである。
【００２２】
図２は、ＩＰ電話用ＩＳＤＮアダプタ１の詳細な構成を示すブロック図である。ＩＰ電話用ＩＳＤＮアダプタ１は、制御部１１、表示部１２、ＩＳＤＮ回線Ｉ／Ｆ部１３、ＩＳＤＮ／ＰＢＸ用ＩＳＤＮ回線変換部１４、アナログ回線Ｉ／Ｆ部１５１、アナログ回線Ｉ／Ｆ部１５２、アナログ／ＩＳＤＮ回線変換部１６１、アナログ／ＩＳＤＮ回線変換部１６２、接続回線切換部１７、およびＰＢＸ用ＩＳＤＮ回線Ｉ／Ｆ部１８を備えている。
【００２３】
制御部１１は、ＩＳＤＮ回線Ｉ／Ｆ部１３、ＩＳＤＮ／ＰＢＸ用ＩＳＤＮ回線変換部１４、アナログ回線Ｉ／Ｆ部１５１、アナログ回線Ｉ／Ｆ部１５２、アナログ／ＩＳＤＮ回線変換部１６１、アナログ／ＩＳＤＮ回線変換部１６２、接続回線切換部１７、およびＰＢＸ用ＩＳＤＮ回線Ｉ／Ｆ部１８に接続されている。制御部１１は、ＩＰ電話用ＩＳＤＮアダプタ１を統括的に制御する構成部であり、例えば動作用プログラム（ＲＯＭ）、ワークメモリ（ＲＡＭ）等を内蔵したマイコンからなる。
【００２４】
表示部１２は、例えば複数のＬＥＤからなり、制御部１１の処理に応じて種々の表示を行う。ユーザは、この表示部１２の表示内容を見ることで、ＩＰ電話用ＩＳＤＮアダプタ１の状態を知ることができる。
【００２５】
ＩＳＤＮ回線Ｉ／Ｆ部１３は、一般加入電話網５にＩＳＤＮ回線で接続されており、発信側からの呼出信号を検出する。呼出信号を検出した場合、これを制御部１１に通知する。また、一般加入電話網５、およびＩＳＤＮ／ＰＢＸ用ＩＳＤＮ回線変換部１４に音声信号を送受信する。
【００２６】
ＩＳＤＮ／ＰＢＸ用ＩＳＤＮ回線変換部１４は、制御部１１の設定に応じて、ＩＳＤＮ回線Ｉ／Ｆ部１３から入力される音声信号を、ＰＢＸ２、および電話機３Ａ〜電話機３Ｎとの接続に適したＩＳＤＮ信号に変換し、接続回線切換部１７に送信する。また、接続回線切換部１７から入力される音声信号を、ＩＳＤＮ公衆回線との接続に適したＩＳＤＮ信号に変換し、ＩＳＤＮ回線Ｉ／Ｆ部１３に送信する。
【００２７】
アナログ回線Ｉ／Ｆ部１５１、およびアナログ回線Ｉ／Ｆ部１５２は、それぞれＩＰ電話アダプタ４にアナログ回線１、およびアナログ回線２で接続されており、ＩＰ電話アダプタ４からの呼出信号を検出する。呼出信号を検出した場合、これを制御部１１に通知する。また、ＩＰ電話アダプタ４、アナログ／ＩＳＤＮ回線変換部１６１、アナログ／ＩＳＤＮ回線変換部１６２に音声信号を送受信する。
【００２８】
アナログ／ＩＳＤＮ回線変換部１６１、およびアナログ／ＩＳＤＮ回線変換部１６２は、それぞれ制御部１１の設定に応じて、アナログ回線Ｉ／Ｆ部１５１、およびアナログ回線Ｉ／Ｆ部１５２から入力される音声信号を、デジタル変換し、ＰＢＸ２、および電話機３Ａ〜電話機３Ｎとの接続に適したＩＳＤＮ信号に変換すし、接続回線切換部１７に送信する。また、接続回線切換部１７から入力される音声信号（デジタル）をアナログ変換し、それぞれアナログ回線Ｉ／Ｆ部１５１、およびアナログ回線Ｉ／Ｆ部１５２に送信する。
【００２９】
接続回線切換部１７は、制御部１１の設定に応じて、入力される呼出信号、音声信号を他の構成部に送信する。例えば、接続回線切換部１７は、ＩＳＤＮ／ＰＢＸ用ＩＳＤＮ回線変換部１４から入力される音声信号をＰＢＸ用ＩＳＤＮ回線Ｉ／Ｆ部１８に送信し、この結果、ＰＢＸ２（電話機３Ａ〜３Ｎ）と、一般加入電話網５に接続される他の電話機と、を接続する。同様に、接続回線切換部１７は、アナログ／ＩＳＤＮ回線変換部１６１から入力される音声信号をＰＢＸ用ＩＳＤＮ回線Ｉ／Ｆ部１８に送信し、この結果、ＰＢＸ２（電話機３Ａ〜３Ｎ）と、ＩＰ網６に接続される他の電話機と、を接続する。
【００３０】
ＰＢＸ用ＩＳＤＮ回線Ｉ／Ｆ部１８は、ＰＢＸ２にＩＳＤＮ回線で接続されており、ＰＢＸ２（電話機３Ａ〜３Ｎ）からの呼出信号を検出する。呼出信号を検出した場合、これを制御部１１に通知する。また、ＰＢＸ２、および接続回線切換部１７に音声信号を送受信する。
【００３１】
制御部１１は、ＩＳＤＮ回線Ｉ／Ｆ部１３、アナログ回線Ｉ／Ｆ部１５１、アナログ回線Ｉ／Ｆ部１５２、またはＰＢＸ用ＩＳＤＮ回線Ｉ／Ｆ部１８から呼出信号を検出した場合、呼出信号を検出した検出部と呼出先（受信側）の検出部を接続させるように接続回線切換部１７に設定する。その結果、呼出信号が呼出先（受信側）に送信される。受信側が回線空き状態であれば、受信側の電話機等において呼出ベルが鳴る。ユーザがオフフックすると、制御部１１は、着信許可信号を送信側に返信する。また、接続回線切換部１７に、送信側と受信側を接続するよう設定する。この結果、送信側、受信側の接続が確立し、通話可能となる。
【００３２】
受信側がビジー状態であれば、制御部１１は、アナログ回線Ｉ／Ｆ部１５１、アナログ回線Ｉ／Ｆ部１５２、またはＰＢＸ用ＩＳＤＮ回線Ｉ／Ｆ部１８を介して送信側に着信拒否信号を送信する。これにより送信側は、呼出信号の送信を停止する。
【００３３】
また、制御部１１は、アナログ回線Ｉ／Ｆ部１５１、およびアナログ回線Ｉ／Ｆ部１５２のいずれか一方から呼出信号を検出した場合、所定時間で停止する内蔵タイマ（図示せず）を作動させ、その後タイマが停止するまでに他方のアナログ回線Ｉ／Ｆ部から呼出信号を検出するか否かを判断することにより、呼出信号の検出時間差を計測する。制御部１１は、タイマが停止するまでに他方の呼出信号を検出した場合、すなわち、検出時間差が所定の閾値未満であった場合、後の呼出信号が送信された回線について呼出側に着信拒否信号を送信する。
【００３４】
図３は、アナログ回線１、およびアナログ回線２の呼出信号を示す図である。ＩＰ電話アダプタ側から呼出信号が送信されると、同図に示すように、所定周波数（例えば１５Ｈｚ〜２０Ｈｚ）の信号が送信される。この例では、まずアナログ回線１で呼出信号が送信され、その後アナログ回線２で呼出信号が送信される。制御部１１は、アナログ回線１の呼出信号を検出した場合、所定時間で停止するタイマを作動させ、アナログ回線２の呼出信号を検出するまでの検出時間差を計測する。
【００３５】
制御部１１は、この検出時間差が所定の閾値未満であった場合、ＩＰ電話アダプタが、１回線の着信で２回線分の呼出信号を送信したとみなし、アナログ回線２について呼出側に着信拒否信号を送信する。この着信拒否信号は、着信先通知機能（所謂モデムダイヤルイン方式）の着信拒否手順に従って送信される。その手順は以下の通りである。
【００３６】
（１）ＩＰ電話アダプタ４は、ＩＰ電話用ＩＳＤＮアダプタ１に、モデムダイヤルイン方式の固有の呼出信号を送信する。
（２）ＩＰ電話用ＩＳＤＮアダプタ１のアナログ回線Ｉ／Ｆ部１５１、またはアナログ回線Ｉ／Ｆ部１５２は、モデムダイヤルイン方式固有の呼出信号を検出し、オフフックを行う。
（３）ＩＰ電話アダプタ４は、オフフックを検出すると、ＩＰ電話用ＩＳＤＮアダプタ１に着信先（呼出側）の電話番号を示す情報をモデム信号で送信する。
（４）ＩＰ電話用ＩＳＤＮアダプタ１のアナログ回線Ｉ／Ｆ部１５１、またはアナログ回線Ｉ／Ｆ部１５２は、オフフックを継続する。
（５）ＩＰ電話アダプタ４は、オフフックが所定時間（例えば２〜３秒）以上継続すると、着信が拒否されたとして、呼出側に着信拒否信号を送信する（着信拒否を通知する）。
【００３７】
上記の着信拒否手順を利用することにより、アナログ回線１の呼出信号は、接続回線切換部１７を介して受信側に送信され、アナログ回線２の呼出信号は、停止される。したがって、受信側では１回線分の電話機においてのみ呼び出しベルが鳴る（または１回線分の呼出表示のみされる）。
【００３８】
また、制御部１１は、タイマが停止してからアナログ回線２の呼出信号を検出した場合、すなわち、検出時間差が上記閾値以上であれば、実際に２回線の着信が有ったとみなし、アナログ回線２の呼出信号を受信側に送信させる。
【００３９】
なお、上記閾値（タイマが停止するまでの時間）は変更することができる。閾値を変更するには、制御部１１の動作用プログラムをＩＰ電話用ＩＳＤＮアダプタ１の設置者（管理者）が書き換えたり、ユーザ操作用のインタフェースを設置して、ユーザが自由に設定できるようにすればよい。また、切り換えスイッチ等を設置し、いずれかの閾値（例えば０．１秒、０．２秒、または０．３秒）を選択できるようにしてもよい。接続するＩＰ電話アダプタの種類により、１回線の着信で２回線分の呼出信号を送信する時間差が異なるため、閾値は設置状況に応じて適宜設定すればよい。なお、閾値の変更時間単位も、適宜設定すればよい（例えば１０ｍｓｅｃ）。
【００４０】
図４（Ａ）は、上記の制御部１１の時間差検出処理内容を示すフローチャートである。まず、制御部１１は、アナログ回線Ｉ／Ｆ部１５１、またはアナログ回線Ｉ／Ｆ部１５２（アナログ回線１、またはアナログ回線２）から呼出信号を検出したか否かを判断する（Ｓ１０１）。この呼出信号が時間差検出処理のトリガとなる。呼出信号が検出されるまでは、Ｓ１０１の判断を繰り返す。
【００４１】
制御部１１は、呼出信号を検出した場合、同時着信判定を行うか否かを判断する（Ｓ１０２）。同時着信判定を行うか否かは、ユーザが予め設定する。同時着信判定を行わない場合、呼出信号を受信側に送信させ、着信通知を行う（Ｓ１０２→Ｓ１０５）。同時着信判定を行う場合、タイマが停止しているか否かを判断する（Ｓ１０３）。制御部１１は、タイマが停止していなければ、ＩＰ電話アダプタが、１回線の着信で２回線分の呼出信号を送信したとみなし、Ｓ１０１で検出した呼出信号の回線について着信拒否信号を送信する（Ｓ１０３→Ｓ１０６）。タイマが停止していれば、タイマを作動させ（Ｓ１０４）、時間計測を開始する。また、Ｓ１０１で検出した呼出信号を受信側に送信させ、着信通知を行う（Ｓ１０５）。
【００４２】
図４（Ｂ）は、閾値（タイムオーバの時間）の変更時間単位毎に行う割込処理である。例えば閾値の変更時間単位が１０ｍｓｅｃである場合、同図（Ｂ）の割込処理は１０ｍｓｅｃ毎に行われる。まず、制御部１１は、Ｓ２０１でタイムオーバしたか否かを確認し、タイムオーバしていなければ割込処理を終え（Ｓ２０１→ＲＥＴＵＲＮ）、タイムオーバしていればタイマを停止する（Ｓ２０２）。
【００４３】
以上のように、本実施形態のＩＰ電話用ＩＳＤＮアダプタ１によれば、ＩＰ電話アダプタから１回線の着信で複数回線分の呼出信号が送信されたとしても、呼出信号の時間差が閾値未満であれば後の呼出について着信拒否を行うため、ＰＢＸ側には１回線分の呼出信号のみ送信され、電話機において１回線分のみ呼び出しベルが鳴る（または１回線分の呼出表示のみされる）。また、空き回線が開放され、他の着信が有った場合にこれを拒否することがない。
【００４４】
なお、この実施形態において、ＩＰ電話用ＩＳＤＮアダプタ１は、ＩＳＤＮ回線で一般加入電話網に接続する例を示したが、これは本発明の必須の構成要件ではない。ＰＢＸとＩＰ電話アダプタに接続される構成を有していればよい。
【図面の簡単な説明】
【００４５】
【図１】電話システムの構成を示すブロック図である。
【図２】ＩＰ電話用ＩＳＤＮアダプタの詳細な構成を示すブロック図である。
【図３】呼出信号を示す図である。
【図４】制御部の時間差検出処理内容を示すフローチャートである。
【符号の説明】
【００４６】
１１−制御部
１２−表示部
１３−ＩＳＤＮ回線Ｉ／Ｆ部
１４−ＩＳＤＮ／ＰＢＸ用ＩＳＤＮ回線変換部
１５１，１５２−アナログ回線Ｉ／Ｆ部
１６１，１６２−アナログ／ＩＳＤＮ回線変換部
１７−接続回線切換部
１８−ＰＢＸ用ＩＳＤＮ回線Ｉ／Ｆ部
【図１】
2008072394.tif 000003
【図２】
2008072394.tif 000004
【図３】
2008072394.tif 000005
【図４】
2008072394.tif 000006